(57)【要約】【課題】マニュアルが変更された場合であっても、使用するマニュアルの版に対応するページ番号を表示画面に表示することができる表示装置を提供する。【解決手段】表示部１２の表示画面の表示と該表示に対応する説明書のページ番号との対応情報を記憶する蓄積部２４を備え、表示に対応するページ番号を表示画面に表示する表示装置において、蓄積部２４には、説明書の版に応じた対応情報が記憶されており、操作部１３が受付けた版情報に対応及び表示画面の表示に対応する説明書のページ番号を表示するように構成した。【選択図】図１
2007129356.tif 000002
【特許請求の範囲】
【請求項１】
表示画面の表示と該表示に対応する説明書のページ番号との対応情報を記憶する記憶部を備え、表示に対応するページ番号を表示画面に表示する表示装置において、
前記記憶部には、説明書の版に応じた対応情報が記憶されていることを特徴とする表示装置。
【請求項２】
説明書の版情報を受付ける受付手段を備え、
該受付手段が受付けた版情報に対応及び表示画面の表示に対応するページ番号を表示するように構成してあることを特徴とする請求項１記載の表示装置。
【請求項３】
説明書の版情報を受付ける受付手段と、
対応情報を記憶する外部記憶装置と接続され、前記受付手段が受付けた版情報に応じた対応情報が前記記憶部に記憶されていない場合、前記受付手段が受付けた版情報に応じた対応情報を前記外部記憶装置から取得する取得手段と
を備えることを特徴とする請求項１記載の表示装置。
【発明の詳細な説明】
【技術分野】
【０００１】
本発明は、表示画面の表示と該表示に対応する説明書のページ番号との対応情報を記憶する記憶部を備え、表示に対応するページ番号を表示画面に表示する表示装置に関する。
【背景技術】
【０００２】
コピー機、ファクシミリ機、複合機などは、液晶表示装置などの表示装置を備えているが、表示装置の表示画面サイズは大きさに制限があり、小型の表示画面に操作説明を表示しようとしても、十分な表示が行えなかった。そこで、表示画面に操作説明を表示する代わりに、マニュアル（説明書）の対応するページ番号などを表示することが行われている（例えば、特許文献１参照）。
【特許文献１】特開２００４−２１４９９０号公報
【発明の開示】
【発明が解決しようとする課題】
【０００３】
現在の表示に対応するマニュアルのページ番号が表示画面に表示されることにより、マニュアルの中から操作説明又は内容説明のページを容易に探せるようになる。しかし、マニュアルが変更された場合は、説明のページ番号も変わる可能性が高く、実用性が低いという問題がある。
【０００４】
本発明は斯かる事情に鑑みてなされたものであり、説明書の版に応じた対応関係を記憶部に記憶することにより、マニュアルが変更された場合であっても、使用するマニュアルの版に対応するページ番号を表示画面に表示することが可能な表示装置を提供することを目的とする。
【０００５】
また、本発明は、説明書の版情報を受付ける受付手段を備え、受付けた版情報に対応及び表示画面の表示に対応する説明書のページ番号を表示することにより、マニュアルが変更された場合であっても、使用するマニュアルの版に対応するページ番号を表示画面に表示できる表示装置を提供することを他の目的とする。
【０００６】
また、本発明は、説明書の版情報を受付ける受付手段と、外部記憶装置と接続され、受付手段が受付けた版情報に応じた対応関係が記憶部に記憶されていない場合、受付手段が受付けた版情報に応じた対応関係を前記外部記憶装置から取得する取得手段とを備えることにより、マニュアルが変更された場合であっても、記憶部に記憶されている対応関係を変更後の版に対応させることができる表示装置を提供することを他の目的とする。
【課題を解決するための手段】
【０００７】
第１発明に係る表示装置は、表示画面の表示と該表示に対応する説明書のページ番号との対応情報を記憶する記憶部を備え、表示に対応するページ番号を表示画面に表示する表示装置において、前記記憶部には、説明書の版に応じた対応情報が記憶されていることを特徴とする。
【０００８】
第２発明に係る表示装置は、第１発明において、説明書の版情報を受付ける受付手段を備え、該受付手段が受付けた版情報に対応及び表示画面の表示に対応するページ番号を表示するように構成してあることを特徴とする。
【０００９】
第３発明に係る表示装置は、第１発明において、説明書の版情報を受付ける受付手段と、対応情報を記憶する外部記憶装置と接続され、前記受付手段が受付けた版情報に応じた対応情報が前記記憶部に記憶されていない場合、前記受付手段が受付けた版情報に応じた対応情報を前記外部記憶装置から取得する取得手段とを備えることを特徴とする。
【００１０】
第１発明においては、説明書の版に応じた対応関係を記憶部に記憶してあるため、マニュアルが変更された場合であっても、使用するマニュアルの版に対応するページ番号を表示画面に表示することが可能になる。
【００１１】
第２発明においては、説明書の版情報を受付手段で受付け、受付けた版情報に対応及び表示画面の表示に対応する説明書のページ番号を表示するため、マニュアルが変更された場合であっても、使用するマニュアルの版に対応するページ番号を表示画面に表示することができる。
【００１２】
第３発明においては、説明書の版情報を受付手段で受付け、受付けた版情報に応じた対応情報が記憶部に記憶されていない場合、受付けた版情報に応じた対応情報を取得手段が外部記憶装置から取得するため、マニュアルが変更された場合であっても、記憶部に記憶されている対応情報を変更後の版に対応させることができる。
【発明の効果】
【００１３】
第１発明によれば、マニュアルが変更された場合であっても、使用するマニュアルの版に対応するページ番号を表示画面に表示することが可能になる。
【００１４】
第２発明によれば、マニュアルが変更された場合であっても、使用するマニュアルの版に対応するページ番号を表示画面に表示することができる。
【００１５】
第３発明によれば、マニュアルが変更された場合であっても、記憶部に記憶されている対応情報を変更後の版に対応させることができる。
【発明を実施するための最良の形態】
【００１６】
以下、本発明をその実施の形態を示す図面に基づいて具体的に説明する。本実施の形態では、ファクシミリ，イメージスキャナ及びプリンタの機能を有する複合機に設けられた表示装置を例にして説明を行う。
【００１７】
図１は本発明に係る表示装置を備える複合機の構成例を示すブロック図であり、図２は複合機が接続された通信ネットワークの例を示すブロック図である。複合機１０は、社内ＬＡＮ（Local Area Network）などの内部ネットワーク３０に接続されている。内部ネットワーク３０には、サーバ３４が接続されている。また、複合機１０は、電話回線網又はインターネットなどの外部ネットワーク３２に接続されている。
【００１８】
複合機１０は、主制御部１１、表示部１２、操作部１３、読取部１４、記録部１５、コーデック１６、変換部１７、モデム１８、ＮＣＵ（Network Control Unit）１９、ＬＡＮインタフェイス２０、画像メモリ２１、ＲＯＭ２２、ＲＡＭ２３及び蓄積部２４を備え、夫々バス２９に接続されている。複合機１０の前記各部１２〜２４はＣＰＵなどの主制御部１１によって制御される。
【００１９】
表示部１２は、ＬＣＤ（液晶表示装置）などの表示装置であり、主制御部１１の制御によって、複合機１０の動作状態の表示などを行う。操作部１３は、複合機１０に対する操作入力を受付ける装置であり、スタートキー、ストップキー、テンキー、短縮ダイヤルキー及びファンクションキー等の各種キーを備える。なお、タッチパネル方式の表示部１２を用いることにより、操作部１３の各種キーの一部又は全部を代用することも可能である。
【００２０】
モデム１８は、ファクシミリ通信が可能なファックスモデムであり、バス２９及びＮＣＵ１９と接続されている。ＮＣＵ１９は、外部ネットワーク３２と接続されており、必要に応じてモデム１８を外部ネットワーク３２と接続し、外部ネットワーク３２に接続された外部通信装置（図示せず）との間でファクシミリ通信などのデータ送受信を行う。ＬＡＮインタフェイス２０は、複合機１０を内部ネットワーク３０と接続するためのインタフェイスであり、内部ネットワーク３０に接続されたサーバ３４との間でデータ送受信を行う。
【００２１】
ＲＯＭ２２は、主制御部１１が実行する種々のプログラム及びデータなどを格納しており、主制御部１１は、ＲＯＭ２２に格納されたプログラムを実行して複合機１０各部の制御を行う。ＲＡＭ２３は、ＳＲＡＭ又はフラッシュメモリ等で構成され、主制御部１１がプログラムを実行する際に使用する一時的なデータ又は各種設定データ等を記憶する。ＲＡＭ２３をフラッシュメモリで構成した場合、複合機１０の各種設定データなどを電源切断時も保持できる。
【００２２】
読取部１４は、例えばＣＣＤ（Charge Coupled Device）を備えたイメージスキャナであり、原稿を読取って画像データを出力する。画像メモリ２１は、ＤＲＡＭ等で構成され、読取部１４が読取った原稿の画像データを記憶する。また、画像メモリ２１は、内部ネットワーク３０又は外部ネットワーク３２を介してＬＡＮインタフェイス２０又はＮＣＵ１９が受信した画像データを記憶する。また、画像メモリ２１に記憶された画像データを、ＬＡＮインタフェイス２０又はＮＣＵ１９から送信することも可能である。記録部１５は、電子写真方式のプリンタであり、画像メモリ２１に記憶された画像データに基づく画像を記録紙に記録する。
【００２３】
コーデック１６は、ファクシミリ送信する画像データの符号化及びファクシミリ受信した画像データの復号などの符号化及び復号を行う。変換部１７は、ファクシミリ送信を行う画像データ形式から電子メール形式への変換及び電子メール形式からファクシミリ受信する画像データ形式への変換などのデータ変換を行う。
【００２４】
蓄積部２４は、読取部１４で読取った画像データ又はファクシミリ受信した画像データなどを蓄積する。例えば画像メモリ２１に記憶された画像データが、主制御部１１の制御によって、蓄積部２４に蓄積される。蓄積部２４として、フラッシュメモリ又はハードディスク装置を用いることが可能である。
【００２５】
また、蓄積部２４にはマニュアルのバージョン（版）の登録情報（以下、バージョン登録データという）が記憶されている。また、蓄積部（記憶部）２４には、表示部１２の表示画面の表示と該表示に対応するマニュアル（説明書）のページ番号との対応情報（以下、ページ対応データという）が記憶されている。なお、バージョン登録データに応じたページ対応データが蓄積部２４に記憶されている。
【００２６】
図３はページ対応データの例を示す概念図である。ページ対応データは、表示画面に表示される各表示の識別番号である表示画面ＮＯ．と、マニュアルのバージョンと、マニュアルのページとの対応関係が記憶されている。ページ対応データは、複数バージョンに対する表示画面ＮＯ．とマニュアルのページとの対応関係を記憶したり、バージョン登録データに対応するバージョンのみの対応関係を記憶することが可能である。
【００２７】
操作部１３はマニュアルのバージョン情報（版情報）を受付ける受付手段として動作し、操作部１３が受付けたバージョン情報は主制御部１１によってバージョン登録データとして蓄積部２４に記憶される。そして、表示部１２の表示画面の表示に対応及びバージョン登録データに対応するマニュアルのページ番号が、主制御部１１によって表示部１２の表示画面に表示される。
【００２８】
図４は表示部１２の表示画面４０の例を示す概略図である。図４の例はファックス番号の登録画面であり、登録ＮＯ．（４２）及び登録番号（４４）が表示されていると共に、この表示（ファックス番号の登録画面）に対応するマニュアルのページ番号（４６）も表示されている。
【００２９】
また、ＬＡＮインタフェイス２０は、ページ対応データを記憶するサーバ３４（外部記憶装置）と接続され、操作部１３が受付けたバージョン情報に応じたページ対応データが蓄積部２４に記憶されていない場合、前記受付けたバージョン情報に応じたページ対応データをサーバ３４から取得する取得手段として動作する。
【００３０】
図５は表示画面に対応するマニュアルのページ番号の表示処理の例を示すフローチャートである。操作部１３が操作されるなどして表示部１２の表示画面が更新された場合（Ｓ１０：ＹＥＳ）、主制御部１１は、ページ対応データに更新後の表示画面に対応するマニュアルページが登録されているか確認し、表示画面に対応するマニュアルページがありの場合は（Ｓ１２：ＹＥＳ）、バージョン登録データからマニュアルのバージョンを取得し（Ｓ１４）、表示画面及び取得したバージョンに対応するマニュアルのページ番号をページ対応データから取得し（Ｓ１６）、取得したページ番号を表示部１２の表示画面に追加表示する（Ｓ１８）。これにより、バージョン及び表示画面に対応したマニュアルのページ番号が表示される。
【００３１】
表示画面に対応するマニュアルページがない場合（Ｓ１２：ＮＯ）又はページ番号を表示画面に追加表示（Ｓ１８）した後、表示画面が表示オフになった場合（Ｓ２０：ＹＥＳ）は処理を終了し、表示画面が表示オフになっていない場合（Ｓ２０：ＮＯ）は同様の処理を繰返す。
【００３２】
図６はマニュアルのバージョンの登録処理の例を示すフローチャートである。操作部１３からマニュアルのバージョンの登録を受付けた場合（Ｓ３０）、主制御部１１は、バージョン登録データを更新し（Ｓ３２）、ページ対応データが更新後の新バージョンに対応していない場合（Ｓ３４：ＮＯ）、ＬＡＮインタフェイス２０からサーバ３４へ、新バージョンに対応したページ対応データを要求し（Ｓ３６）、ＬＡＮインタフェイス２０がサーバ３４から受信した、新バージョンに対応したページ対応データを蓄積部２４に記憶（Ｓ３８）し、処理を終了する。なお、ページ対応データが更新後の新バージョンに対応している場合（Ｓ３４：ＹＥＳ）はそのまま処理を終了する。これにより、マニュアルのバージョンに応じたページ対応データが蓄積部２４に蓄積される。
【００３３】
上述した実施の形態においては、複合機を例にして説明したが、複合機以外の任意の装置に設けられた表示装置に本発明を適用することも可能である。
【図面の簡単な説明】
【００３４】
【図１】本発明に係る表示装置を備える複合機の構成例を示すブロック図である。
【図２】複合機が接続された通信ネットワークの例を示すブロック図である。
【図３】ページ対応データの例を示す概念図である。
【図４】表示部の表示画面の例を示す概略図である。
【図５】表示画面に対応するマニュアルのページ番号の表示処理の例を示すフローチャートである。
【図６】マニュアルのバージョンの登録処理の例を示すフローチャートである。
【符号の説明】
【００３５】
１０  複合機
１１  主制御部
１８  モデム
１９  ＮＣＵ
２０  ＬＡＮインタフェイス
２１  画像メモリ
２３  ＲＡＭ
２４  蓄積部
３０  内部ネットワーク
３２  外部ネットワーク
３４  サーバ
【図１】
2007129356.tif 000003
【図２】
2007129356.tif 000004
【図３】
2007129356.tif 000005
【図４】
2007129356.tif 000006
【図５】
2007129356.tif 000007
【図６】
2007129356.tif 000008